(57)【特許請求の範囲】
【請求項１】
発光管と、全体が加熱することによって膨張し、その後硬化する熱膨張硬化タイプ樹脂で構成され、加熱による形状の変形によって内部に挿入された上記発光管を固定させる口金とを備えたことを特徴とするコンパクト蛍光ランプ。
【請求項２】
上記発光管は、上記口金に取り付けられる部分に凹凸が設けてあることを特徴とする請求項１記載のコンパクト蛍光ランプ。
【発明の詳細な説明】
【０００１】
【発明の属する技術分野】
この発明は、ランプの発光管を固定する口金、及び、口金に発光管を固定するランプの製造工程に関する。
【０００２】
【従来の技術】
ランプの発光管を口金に固定する手段として、従来は、口金と発光管との間に形成される隙間へ接着剤を充填して、発光管を口金へ固定していた。もしくは、口金（プラスチックや金属）の内側（発光管の挿入する穴）に接着剤を塗布し、接着剤を塗布した部分（穴）へ発光管を入れて口金と発光管とを接着していた。図６に、高圧放電ランプの一例を示している。図６に示したコンパクト蛍光ランプは、口金１６と発光管２６とをセメント３０（接着剤）を用いて接着している。接着剤として、セメントやシリコン材を用いていた。
【０００３】
【発明が解決しようとする課題】
このように、口金と発光管とを接着剤を用いて固定する場合、接着剤が必要となっていた。また、接着剤を上記隙間へ充填する作業工程、あるいは、口金の内側に塗布する作業工程が必要となっていた。
【０００４】
そこで、この発明は、接着剤を用いることなく、口金と発光管とを固定するランプ、及び、口金を提供することを目的とする。
また、口金と発光管とを固定する工程において、接着剤を充填あるいは塗布する工程を削減することを目的とする。
【０００５】
【課題を解決するための手段】
この発明に係るコンパクト蛍光ランプは、発光管と、全体が加熱することによって膨張し、その後硬化する熱膨張硬化タイプ樹脂で構成され、加熱による形状の変形によって内部に挿入された上記発光管を固定させる口金とを備えたことを特徴とする。
【００１１】
上記発光管は、上記口金に取り付けられる部分に凹凸が設けてあることを特徴とする。
【００１５】
【発明の実施の形態】
実施の形態１．
図１は、口金に熱膨張硬化タイプの材料を用いた場合のランプの一例を示した図である。
図１は、コンパクト蛍光ランプを用いた例を示している。口金１１は、加熱することによって形状が変化する材料（熱膨張硬化タイプの材料）で作成されている。
まず、口金１１に発光管２１を挿入し（図１（Ａ））、加熱することによって口金１１の形状を変化させ、口金１１と発光管２１とを接着し、発光管２１を口金１２へ固定させる（図１（Ｂ））。
【００１６】
口金１１は、温度変化によって形状が変化した後、硬化する材質の材料で作成されていればよい。熱膨張硬化タイプのプラスチック等であって、ランプが点灯する場合に発生する熱に耐性を持つプラスチック等を用いる。すなわち、口金に発光管を固定した後（取り付けた後）、ランプを点灯することによって加熱された場合においても、口金の形状が変化しないこと、発光管が口金に固定されていること（発光管を口金へ固定する状態が維持されること）が必須の条件である。
【００１７】
温度変化は、加熱のように温度を上昇させる場合、あるいは、温度を下降させる場合のいずれでもよい。
例えば、氷点下の温度から、常温（室温）へ変化させる場合も考えられる。氷点下で（例えば、冷凍庫に保管、液体窒素等を用いる、等の手段によって）冷却した材料を、常温（室温）に戻すことによって、口金の形状を変化させてもよい。
【００１８】
また、口金は、口金全体を温度変化によって形状が変化する材料を用いて作成してもよいし、発光管を入れる挿入口の周辺を温度変化によって形状が変化する材料にし、他の部分を別の材料で作成してもよい。
【００１９】
実施の形態２．
この実施の形態では、形状を記憶する形状記憶材料を用いて口金を作成する場合を説明する。図２は、口金に形状記憶材料を用いた場合のランプの一例を示した図である。図２は、直管の蛍光ランプ（一部分）を用いた例を示している。口金１２は、形状を記憶する形状記憶材料を用いて作成されている。
【００２０】
まず、口金１２に、発光管２２に対応する径（発光管の径に適合（一致）する穴径）を記憶させる（図２（Ａ））。この場合、発光管２２が固定されるような形状を口金１２に記憶させる（発光管２２の形状に合わせる）。
次に、口金１２の径（穴径）を拡張し（拡大）、発光管２２を挿入する（図２（Ｂ））。この時点では、口金１２と発光管２２との間は、隙間が空いていて、発光管２２は口金１２に固定されていない状態となる。
次に、口金１２を加熱し、（Ａ）で記憶させた形状に戻す（図２（Ｃ））。この結果、口金１２と発光管２２とは接触し、固定されることになる。
【００２１】
形状記憶材料が可能な材料の一例として金属がある。
形状を記憶させ、一度、形状を変化（拡大）させた後、再び、記憶させた形状に戻した場合、その後は、形状が変化しない材質の材料であれば、口金に用いることができる。すなわち、一度口金に発光管を固定した後、ランプを点灯することによって、加熱された場合においても、口金の形状が変化しないこと、発光管が固定されていることが必要である。
【００２２】
実施の形態３．
この実施の形態では、発泡材を用いて口金を生成する場合の一例を説明する。発泡材は、一度形成した形状が、加熱（冷却、添付物の添加等、その他の処理であってもよい）の処理によって膨張し、その後、形状が変化しない材質の材料を用いる。すなわち、一度、口金に発光管を固定した後、ランプの点灯によって加熱された場合においても、口金の形状が変化しないこと、口金に発光管が固定されていることが必要である。
この実施の形態では、加熱することによって発泡する（膨張する、あるいは、体積が大きくなる）材質の材料を用いて口金を作成する場合を一例として説明する。
【００２３】
図３は、発泡材を用いて口金を作成する場合、加熱処理前の大きさと、加熱後の大きさの差を表した図である。図３は、スクリュー形の口金１３であって、口金のシェルを除いた部分を示した図である。実線によって形成される形状は、加熱処理前の口金である。点線によって形成される形状は、加熱処理後の口金である。実線によって形成される形状は、発泡材が加熱処理によって膨張する割合（比率）を考慮して作成した口金である。発光管を挿入する穴の大きさは、発光管の大きさよりも大きいサイズとなっている。一方、口金の外形の大きさは、膨張した後に、口金の規格に適合するように小さいものとなっている。
【００２４】
加熱処理をする前の口金に、発光管を挿入し、加熱処理をして口金を膨張させることによって、口金に発光管を固定させる。一度膨張した口金は、その後ランプの点灯等による加熱、その他の状況の変化によって、変化しないこと、発光管を固定していることが必要である。
【００２５】
実施の形態４．
この実施の形態では、口金の一部に形状が変化する材質の材料を用いた例を説明する。
図４は、口金の一部を熱膨張材料硬化タイプの材料で作成した口金の一例を示した図である。（Ａ）は、斜視図、（Ｂ）は、Ｘ−Ｘ断面図である。図４の例では、口金１４の外側（符号１４１で示した）を形状が変化しない材質の材料（例えば、プラスチックやセラミック）で作成し、口金１４の内側（符号１４２で示した）を形状が変化する材質の材料で作成した場合である。６つの円は、発光管を挿入する穴を示している。図４の口金１４は、発光管を口金１４に設置した後、加熱処理を実施することによって、符号１４２の部分が膨張して発光管を固定させてランプを製造する。
一度、発光管を固定した後、口金（符号１４２の部分）の形状が変化しないこと、発光管を固定していることが必要なことは上記実施の形態と同様である。
【００２６】
符号１４２の部分は、膨張硬化タイプの材質の材料、発泡材、等の材料を用いることができる。
【００２７】
実施の形態５．
この実施の形態では、口金と発光管とを強固に固定することについて説明する。
発光管側に凹凸を形成することによって、口金が膨張して発光管を固定する場合に外れにくくすることができる。図５は、口金と発光管との組み合わせの一例を示した図である。図５は、ランプの一部分を断面図で表した図である。（Ａ）は、発光管１５ａに凹凸がない例である。（Ｂ）は、発光管１５ｂに一つの凹部を設けた例、（Ｃ）は、発光管１５ｃの端部の径を大きくした例、（Ｄ）は、発光管１５ｄに複数の凹凸を設けた例である。（Ｂ）から（Ｄ）以外の形状であっても、発光管が外れにくい形状であればよい。
【００２８】
実施の形態６．
上記実施の形態では、加熱処理を加えることによって、口金の形状を変化させることを一例として説明したが、温度変化によって材料の形状を変化させる場合であってもよい。例えば、冷却処理であってもよい。
また、温度変化に限らず、圧力を変化させる場合、あるいは、その他の処理によって材料の形状を変化させる場合であってもかまわない。例えば、薬品（添加物）を加えること、水分を加えること、等であってもよい。
【００２９】
また、この明細書内では、口金は、ソケットと接続する金属部分に限られることはなく、発光管と接触し、発光管を固定する部分を含む。従って、図１から図６に示すように、ランプの種類によっては、発光管と接続する非金属の部分、あるいは、発光管を覆う形になる部分（「カバー部」という場合もある）を含む。
【００３０】
【発明の効果】
この発明のランプ、ランプの口金、及びランプの製造方法によれば、接着剤によって口金と発光管とを接着することなくランプを製造することができる。
【００３１】
また、接着剤を口金に塗布する工程、あるいは、接着剤を口金と発光管との隙間に充填する工程を削減することができる。
【図面の簡単な説明】
【図１】  口金に熱膨張硬化タイプの材料を用いた場合のランプの一例を示した図である。
【図２】  口金に形状記憶材料を用いた場合のランプの一例を示した図である。
【図３】  発泡材を用いて口金を作成する場合、加熱処理前の大きさと、加熱後の大きさの差を表した図である。
【図４】  口金の一部を熱膨張材料硬化タイプの材料で作成した口金の一例を示した図である。
【図５】  口金と発光管との組み合わせの一例を示した図（断面図）である。
【図６】  従来の口金と発光管とを接着剤を用いて固定していたランプの一例（高圧放電ランプ）である。
【符号の説明】
１１，１２，１３，１４，１５，１６  口金、１４１，１４２  口金の一部分、２１，２２，２５ａ，２５ｂ，２５ｃ，２５ｄ，２６  発光管、３０  セメント（接着剤）。
【図１】
0003848595.tif 000002
【図２】
0003848595.tif 000003
【図３】
0003848595.tif 000004
【図４】
0003848595.tif 000005
【図５】
0003848595.tif 000006
【図６】
0003848595.tif 000007